(57)【要約】【課題】ＭＯＳＦＥＴにおけるオン抵抗の温度特性の影響を受けることなく、高精度に過電流状態の検出が可能な過電流保護回路及び誘導性負荷駆動装置を提供する。【解決手段】制御回路１０は、ＭＯＳＦＥＴ２０にゲート電圧を印加する駆動回路１２と、ＭＯＳＦＥＴ２０のドレイン−ソース間電圧と、所定の基準電圧と、を比較し、過電流状態を検出する過電流検出回路１６と、を備えている。また、駆動回路１２によってＭＯＳＦＥＴ２０に印加されるゲート電圧は、ＭＯＳＦＥＴ２０がドレイン−ソース間電圧の増大に対してドレイン電流が飽和する飽和領域で動作する時に、ドレイン−ソース間電圧が所定の基準電圧を上回るような大きさである。【選択図】図４
2016201593.tif 000002
【特許請求の範囲】
【請求項１】
オン動作時に負荷（３０）へドレイン電流を供給し、オフ動作時に前記負荷へのドレイン電流の供給を遮断する電界効果トランジスタ（２０）を過電流から保護する過電流保護回路（１０）であって、
前記電界効果トランジスタにゲート電圧を印加する制御部（１２）と、
前記電界効果トランジスタのドレイン−ソース間電圧と、所定の基準電圧と、を比較し、過電流状態を検出する検出部（１６）と、
を備え、
前記制御部によって前記電界効果トランジスタに印加されるゲート電圧は、前記電界効果トランジスタがドレイン−ソース間電圧の増大に対してドレイン電流が飽和する飽和領域で動作する時に、ドレイン−ソース間電圧が前記所定の基準電圧を上回るような大きさであることを特徴とする過電流保護回路。
【請求項２】
前記制御部によって前記電界効果トランジスタに印加されるゲート電圧は、その電圧値と異なる所定の電圧値のゲート電圧に比べて温度変化に対するドレイン電流の大きさの変化が小さくなる大きさであることを特徴とする請求項１に記載の過電流保護回路。
【請求項３】
前記制御部によって前記電界効果トランジスタに印加されるゲート電圧は、温度変化に対するドレイン電流の大きさの変化が最小となるような大きさであることを特徴とする請求項２に記載の過電流保護回路。
【請求項４】
オン動作時に負荷（３０）へドレイン電流を供給し、オフ動作時に前記負荷へのドレイン電流の供給を遮断する電界効果トランジスタ（２０）と、前記電界効果トランジスタを過電流から保護する過電流保護回路（１０）とを備えた誘導性負荷駆動装置（５）であって、
前記電界効果トランジスタにゲート電圧を印加する制御部（１２）と、
前記電界効果トランジスタのドレイン−ソース間電圧と、所定の基準電圧と、を比較し、過電流状態を検出する検出部（１６）と、
を備え、
前記制御部によって前記電界効果トランジスタに印加されるゲート電圧は、前記電界効果トランジスタがドレイン−ソース間電圧の増大に対してドレイン電流が飽和する飽和領域で動作する時に、ドレイン−ソース間電圧が前記所定の基準電圧を上回るような大きさであることを特徴とする誘導性負荷駆動装置。
【請求項５】
前記制御部によって前記電界効果トランジスタに印加されるゲート電圧は、その電圧値と異なる所定の電圧値のゲート電圧に比べて温度変化に対するドレイン電流の大きさの変化が小さくなる大きさであることを特徴とする請求項４に記載の誘導性負荷駆動装置。
【請求項６】
前記制御部によって前記電界効果トランジスタに印加されるゲート電圧は、温度変化に対するドレイン電流の大きさの変化が最小となるような大きさであることを特徴とする請求項５に記載の誘導性負荷駆動装置。
【発明の詳細な説明】
【技術分野】
【０００１】
本発明は、過電流保護回路及び誘導性負荷駆動装置に関するものである。
【背景技術】
【０００２】
従来より、誘導性負荷などへの電流の供給をＭＯＳＦＥＴのスイッチング制御によって行う構成において、ドレイン−ソース間の電位差をモニタすることで過電流の検出を行う構成が用いられている。すなわち、ＭＯＳＦＥＴのオン動作時に生じるドレイン電流を、オン抵抗の抵抗値を用いてドレイン−ソース間の電位差で把握し、この電位差が予め決められた閾値電圧を超えた場合に、過電流状態として判定可能になっている。そして、過電流状態と判定された場合には、ＭＯＳＦＥＴをオフ動作し、誘導性負荷などへの通電を遮断するようになっている。
【０００３】
例えば、特許文献１に開示される過電流保護回路は、負荷３に供給される負荷電流値Ｉの検出信号としてドレイン−ソース間電圧ＶＤＳを検出し、それをＡＤ変換器６ｄによってＡＤ変換して負荷電流値Ｉを取得する構成である。また、関数式を用いた演算もしくは負荷電流値Ｉと加算数値との関係を示したテーブルとを用いて負荷電流値Ｉと対応する加算数値を演算し、この加算数値を加算していき、積算値が所定の判定閾値に達した場合に負荷３に流れる電流を制限するようになっている。
【０００４】
図７は、従来の誘導性負荷駆動装置を概略的に説明する回路図であり、図８は、その誘導性負荷駆動装置における動作時のタイミングチャートを説明する説明図である。図７に示すように、制御回路１は、ＭＯＳＦＥＴ２を保護対象とし、駆動回路１ａと、過電流検出回路１ｂと、を備える過電流保護回路として機能する。そして、図８に示すように、時間ｔ１からオン信号の電圧値が８〜１２Ｖとなるように、ＭＯＳＦＥＴ２のスイッチング制御によって負荷３に対する駆動信号を生成する。また、図７に示すようにＭＯＳＦＥＴ２と負荷３の間の通電路に短絡（例えばグランドショート）が生じている場合、オン信号出力開始後の時間ｔ２から負荷３の電流制限を受けることなくＭＯＳＦＥＴ２のドレイン電流（ＩＤ）が増加し、それに伴いドレイン−ソース間電圧（ＶＤＳ）も増加していく。そして、マスク期間を経た後、過電流検出回路１ｂがドレイン−ソース間電圧が閾値電圧を越えたと判断した時間ｔ３で、駆動回路１ａがＭＯＳＦＥＴ２をオフ動作させるオフ信号を出力するようになっている。また、時間ｔ３から検出遅延時間を経た時間ｔ４付近において、ＭＯＳＦＥＴ２がオフ動作して、負荷３に流れるドレイン電流が低下するようになっている。
【先行技術文献】
【特許文献】
【０００５】
【特許文献１】特開２０１３−８５４４３号公報
【発明の概要】
【発明が解決しようとする課題】
【０００６】
しかしながら、上記のような従来構成では、ＭＯＳＦＥＴ２のオン抵抗は温度特性を示すため、ドレイン−ソース間電圧が閾値電圧を越える時点でのドレイン電流の大きさが温度に依存することになってしまう。例えば、低温（−５５℃）から高温（１７５℃）の間でオン抵抗が６ｍΩ〜２７ｍΩの範囲で変動する場合において、仮に閾値電圧を０．９Ｖと設定すると、この電圧におけるドレイン電流は３３Ａ〜１５０Ａの間においてばらつくことになる。そのため、このような電流のばらつきを考慮すると、ＭＯＳＦＥＴ２のオン動作時におけるドレイン電流の電流値の範囲が限定されるため、安全動作領域の広いＭＯＳＦＥＴ２を採用する必要がある。このような問題に対し、特許文献１でのように、負荷電流値Ｉの取得において、デジタル化された値から演算式や温度補正用データを用いてオン抵抗の温度補正を行う構成とすることが考えられる。しかしながら、このような構成では、演算式や温度補正用データを予め用意しておく必要があり、さらに高精度の温度補正を実現するためには、複雑な計算式や温度補正用データを状況に応じて使い分ける必要もあり、回路構成が複雑になってしまう問題がある。
【０００７】
また、図８に示すように、過電流状態においてドレイン−ソース間電圧の上昇を迅速に検出するためには、閾値電圧を極力低く設定する必要がある。しかしながら、このように閾値電圧を低く設定する場合、ドレイン−ソース間電圧に基づく信号にノイズが生じることなどによって、過電流状態を誤検出する虞がある。そして、意図しないＭＯＳＦＥＴ２のスイッチング制御によって、負荷への電流供給を停止することになってしまう。
【０００８】
本発明は、上述した課題を解決するためになされたものであり、ＭＯＳＦＥＴにおけるオン抵抗の温度特性の影響を受けることなく、高精度に過電流状態の検出が可能な過電流保護回路及び誘導性負荷駆動装置を提供することを目的とする。
【課題を解決するための手段】
【０００９】
上記目的を達成するため、請求項１の発明は、オン動作時に負荷（３０）へドレイン電流を供給し、オフ動作時に前記負荷へのドレイン電流の供給を遮断する電界効果トランジスタ（２０）を過電流から保護する過電流保護回路（１０）であって、
前記電界効果トランジスタにゲート電圧を印加する制御部（１２）と、
前記電界効果トランジスタのドレイン−ソース間電圧と、所定の基準電圧と、を比較し、過電流状態を検出する検出部（１６）と、
を備え、
前記制御部によって前記電界効果トランジスタに印加されるゲート電圧は、前記電界効果トランジスタがドレイン−ソース間電圧の増大に対してドレイン電流が飽和する飽和領域で動作する時に、ドレイン−ソース間電圧が前記所定の基準電圧を上回るような大きさであることを特徴とする。
【発明の効果】
【００１０】
請求項１の発明では、制御部によって電界効果トランジスタに印加されるゲート電圧は、電界効果トランジスタがドレイン−ソース間電圧の増大に対してドレイン電流が飽和する飽和領域で動作する時に、所定の基準電圧を上回るようになっている。このように、電界効果トランジスタが飽和領域で動作する場合、ドレイン電流が飽和することで、ドレイン電流の僅かな増大に対してドレイン−ソース間電圧が急激に増大することになる。そのため、電界効果トランジスタが飽和領域で動作する時に所定の基準電圧を上回る構成では、誘導性負荷よりも高電位側で短絡等が生じて電界効果トランジスタのドレイン電流が増大する過電流状態となった場合に、ドレイン−ソース間電圧が急激に増大して所定の基準電圧を上回ることになる。したがって、ドレイン電流が増大した場合に、過電流状態を迅速に検出することが可能になり、ドレイン−ソース間電圧が緩やかに増大する場合に比べて、電界効果トランジスタにおけるオン抵抗の温度依存性によるドレイン−ソース間電圧の大きさのばらつきに影響され難くなり、高精度に過電流状態を検出することができる。また、このようにドレイン−ソース間電圧の急激な増大によって過電流状態を迅速に検出する構成であるため、所定の基準電圧を大きく設定し易く、ドレイン−ソース間電圧に基づく信号にノイズが生じることなどによって過電流状態が誤検出されることを抑制することができる。
【図面の簡単な説明】
【００１１】
【図１】図１は、本発明の第１実施形態に係る誘導性負荷駆動装置を概略的に説明する回路図である。
【図２】図２は、図１の誘導性負荷駆動装置の動作を説明するタイミングチャートである。
【図３】図３は、図１の回路図の構成において、ＭＯＳＦＥＴと負荷との間にグランドショートが生じた状態を説明する回路図である。
【図４】図４は、図３の誘導性負荷駆動装置の動作を説明するタイミングチャートである。
【図５】図５（Ａ）は、第１種類のＭＯＳＦＥＴにおけるオン抵抗の温度依存性を説明する説明図であり、図５（Ｂ）は、第１種類のＭＯＳＦＥＴにおいて各温度におけるドレイン電流のゲート電圧依存性を説明する説明図であり、図５（Ｃ）は、第１種類のＭＯＳＦＥＴにおいて各ゲート電圧におけるドレイン電流のドレイン−ソース間電圧依存性を説明する説明図である。
【図６】図６（Ａ）は、本発明の第１実施形態の変形例において、第２種類のＭＯＳＦＥＴにおけるオン抵抗の温度依存性を説明する説明図であり、図６（Ｂ）は、第２種類のＭＯＳＦＥＴにおいて各温度におけるドレイン電流のゲート電圧依存性を説明する説明図であり、図６（Ｃ）は、第２種類のＭＯＳＦＥＴにおいて各ゲート電圧におけるドレイン電流のドレイン−ソース間電圧依存性を説明する説明図である。
【図７】図７は、従来の誘導性負荷駆動装置を概略的に説明する回路図である。
【図８】図８は、図７の回路図の構成で、ＭＯＳＦＥＴと負荷との間にグランドショートが生じた状態における誘導性負荷駆動装置の動作を説明するタイミングチャートである。
【発明を実施するための形態】
【００１２】
［第１実施形態］
以下、本発明の過電流保護回路及び誘導性負荷駆動装置を具現化した第１実施形態について、図面を参照して説明する。
図１に示す誘導性負荷駆動装置５は、ＭＯＳＦＥＴ２０と、ＭＯＳＦＥＴ２０に接続される負荷３０に電力を供給して駆動させる制御回路１０と、を備えている。また、制御回路１０は、ＭＯＳＦＥＴ２０に流れる過電流を検出してＭＯＳＦＥＴ２０を保護する過電流保護回路として機能する。ここで、ＭＯＳＦＥＴ２０に接続される負荷３０は、例えばモータ、リレー、ランプ等を構成する誘導性負荷である。また、制御回路１０は、図１に示すように、駆動回路１２と、電圧制御回路１４と、過電流検出回路１６と、を備えている。
なお、制御回路１０は、本発明の「過電流保護回路」の一例に相当する。
【００１３】
ＭＯＳＦＥＴ２０は、例えばＮチャネル型のＭＯＳＦＥＴとして構成されている。このＭＯＳＦＥＴ２０は、駆動回路１２からの制御信号が入力されるゲート端子Ｇと、電源に接続される高電位側の通電路に接続されるドレイン端子Ｄと、低電位側の通電路を介して負荷３０に接続されるソース端子Ｓと、を備えている。また、ＭＯＳＦＥＴ２０は、ゲート端子Ｇに対して所定閾値（ゲート閾値）を超える電圧が印加された場合にオン動作し、ゲート端子Ｇに印加される電圧が所定閾値（ゲート閾値）以下のときにオフ動作するように構成されている。そして、ＭＯＳＦＥＴ２０は、オン動作時に負荷３０へドレイン電流を供給し、オフ動作時に負荷３０へのドレイン電流の供給を遮断するように動作する。ここで、負荷３０に対するＭＯＳＦＥＴ２０の接続構成は様々であり、本第１実施形態では、ＭＯＳＦＥＴ２０が負荷３０のハイサイド側に接続される構成を例示する。また、負荷３０に対してダイオード４０が並列に接続されており、そのダイオード４０のアノードは接地され、カソードはＭＯＳＦＥＴ２０のソース端子Ｓに接続されている。
なお、ＭＯＳＦＥＴ２０は、本発明の「電界効果トランジスタ」の一例に相当する。
【００１４】
そして、制御回路１０の駆動回路１２からＭＯＳＦＥＴ２０にゲート電圧が印加された時に、ＭＯＳＦＥＴ２０がオン動作してドレイン電流が流れることで、負荷３０が駆動することになる。また、制御回路１０は、ＭＯＳＦＥＴ２０で生じるドレイン電流が過電流となる状態を検出し、ＭＯＳＦＥＴ２０を制御してドレイン電流を遮断することによって、ＭＯＳＦＥＴ２０を過電流から保護するように動作する。
以下、制御回路１０の各構成要素について詳述する。
【００１５】
駆動回路１２は、ＭＯＳＦＥＴ２０のゲート端子Ｇに対し、後述する電圧制御回路１４及び抵抗２２を介してゲート閾値以上の信号（オン信号）とゲート閾値未満の信号（オフ信号）を周期的に与えるように機能するものであり、公知の駆動回路によって構成されている。この駆動回路１２は、公知の様々な回路を適用することができ、例えばＰＷＭ信号を出力可能なＰＷＭ駆動回路などであってもよく、ＭＯＳＦＥＴ２０をオンオフ制御し得る公知の他の駆動回路であってもよい。また、駆動回路１２から出力されるオフ信号の電圧（オフ電圧）は、正の低電圧（０Ｖ付近の電圧）であってもよく、負電圧であってもよい。
なお、駆動回路１２は、本発明の「制御部」の一例に相当する。
【００１６】
電圧制御回路１４は、分圧回路など公知の電圧制御回路によって構成され、駆動回路１２から出力される電圧信号の電圧値を制御し、ＭＯＳＦＥＴ２０のゲート−ソース間に予め設定した一定の大きさの電圧が印加されるように機能する。
【００１７】
過電流検出回路１６は、ＭＯＳＦＥＴ２０のドレイン−ソース間電圧と、所定の基準電圧と、を比較し、過電流状態を検出するように機能する。この過電流検出回路１６は、コンパレータ１６ａ，１６ｂを備えている。具体的には、コンパレータ１６ａの一方の入力端子（例えば正側入力端子）はＭＯＳＦＥＴ２０のドレイン端子Ｄに接続され、コンパレータ１６ａの他方の入力端子（例えば負側入力端子）はＭＯＳＦＥＴ２０のソース端子Ｓに接続されている。また、コンパレータ１６ａの出力端子は、コンパレータ１６ｂの一方の入力端子（例えば正側入力端子）に接続され、コンパレータ１６ａの他方の入力端子（例えば負側入力端子）は、例えば公知の定電圧回路などによって構成される基準電圧生成部から出力される基準電圧（検出閾値）Ｒｅｆが入力されるようになっている。また、コンパレータ１６ｂの出力端子は、駆動回路１２と接続されている。このような構成によって、コンパレータ１６ａは、ＭＯＳＦＥＴ２０のドレイン−ソース間電圧の信号を増幅してコンパレータ１６ｂに出力し、コンパレータ１６ｂは、コンパレータ１６ａからの入力信号を基準電圧と比較し、その結果を出力信号として駆動回路１２に出力する。例えば、ＭＯＳＦＥＴ２０のドレイン−ソース間電圧に基づくコンパレータ１６ａからの出力信号が、基準電圧未満の場合にはＬレベルの信号（正常信号）を出力し、基準電圧を超えている場合にはＨレベルの信号（異常信号）を出力するようになっている。
なお、過電流検出回路１６は、本発明の「検出部」の一例に相当する。
【００１８】
次に、本構成の誘導性負荷駆動装置５の正常時の動作について説明する。
まず、図２に示すように、時間ｔ１１において、駆動回路１２が電圧制御回路１４を介してＭＯＳＦＥＴ２０のゲート端子Ｇに対しゲート閾値以上の信号（オン信号）を与える。なお、オン信号の電圧値は、後述するように温度変化に対するドレイン電流の大きさの変化がなくなる３．８Ｖとなるように電圧制御回路１４によって制御されている。そして、ＭＯＳＦＥＴ２０がオン動作し、ドレイン−ソース間が導通するためＭＯＳＦＥＴ２０のドレイン−ソース間電圧が急激に低下する。
【００１９】
ここで、制御回路１０では、駆動回路１２からオン信号が出力される各周期において、オン信号の出力開始から所定時間だけ異常判定を行わない非判定期間（マスク期間）が設定されている。図２に示す例では、オン信号の出力開始から所定期間を経過するまでは、異常判定を行わないようにしており、この所定期間の間に過電流状態が検出されても、異常と判定せずに無視するようにしている。この非判定期間（マスク期間）の長さは、例えばオン動作後にドレイン−ソース間電圧が最も低下する時点までの時間の長さに設定されている。例えば、オン動作後にドレイン−ソース間電圧が最も低下する時点までに２μｓを要する構成では、非判定期間を２μｓに設定する。なお、このような非判定期間に関する処理は、例えば、制御回路１０が図示しないマスク期間生成回路を備え、このマスク期間生成回路が出力する信号に基づき異常判定を行わないようにしてなされる。
【００２０】
また、ドレイン−ソース間電圧が低下し始めた後の時間ｔ１２では、ＭＯＳＦＥＴ２０にドレイン電流が生じ、このドレイン電流が負荷３０に供給されることになる。このとき、ドレイン電流は、負荷３０による逆起電力の影響によって、負荷３０による電流制限がない場合に比べて緩やかに増大していくことになる。そして、ドレイン電流が増大していくことによって、ドレイン−ソース間電圧も増大していくことになる。
【００２１】
また、予め設定されたオン駆動期間（マスク期間に検出期間を加えた時間）が過ぎたｔ１３では、駆動回路１２からＭＯＳＦＥＴ２０のゲート端子Ｇに対してゲート閾値未満の信号（オフ信号）が出力される。これによって、ＭＯＳＦＥＴ２０がオフ動作するため、ドレイン電流が流れなくなり、ドレイン−ソース間電圧が増大してＭＯＳＦＥＴ２０のオン動作開始前の電圧値に戻ることになる。
【００２２】
このとき、ＭＯＳＦＥＴ２０のオン動作時（検出期間）に、図２に示すように、ドレイン−ソース間電圧が基準電圧（検出閾値）を超えていないため、過電流検出回路１６は、駆動回路１２に対してＬレベルの信号（正常信号）を出力し続け、駆動回路１２は、オン信号を周期的に出力し続けることになる。
【００２３】
次に、本構成の誘導性負荷駆動装置５の異常時の動作について説明する。
図３に示すように、例えば、ＭＯＳＦＥＴ２０と負荷３０の間でグランドショート（ＭＯＳＦＥＴ２０と負荷３０との間の通電路が接地される状態）が生じた場合を異常時とする。
図４に示すように、時間ｔ２１において、駆動回路１２が電圧制御回路１４を介してＭＯＳＦＥＴ２０のゲート端子Ｇに対し、ゲート閾値以上の信号（オン信号）を与える。そして、ＭＯＳＦＥＴ２０がオン動作し、ドレイン−ソース間が導通するため、ＭＯＳＦＥＴ２０のドレイン−ソース間電圧が急激に低下する。ここで、上記正常時の動作と同様に、制御回路１０では、駆動回路１２からオン信号が出力される各周期において、オン信号の出力開始から所定時間だけ異常判定を行わない非判定期間（マスク期間）が設定されている。
【００２４】
また、ドレイン−ソース間電圧が低下し始めた後の時間ｔ２２では、ＭＯＳＦＥＴ２０にドレイン電流が生じる。そして、ＭＯＳＦＥＴ２０のソース端子Ｓに接続される通電路がグランドショートしているため、ドレイン電流がグランドショート部分へと流れることになる。そのため、負荷３０の逆起電力による電流制限が生じることなく、制御回路１０の正常時にＭＯＳＦＥＴ２０のオン動作時に流れるドレイン電流の増大よりも急峻にドレイン電流が増大していくことになる。そして、ドレイン電流が増大していくことによって、ドレイン−ソース間電圧も増大していくことになる。
【００２５】
ここで、駆動回路１２によってＭＯＳＦＥＴ２０に印加されるゲート電圧は、その電圧値と異なる所定の電圧値のゲート電圧に比べて温度変化に対するドレイン電流の大きさの変化が小さくなるような大きさ（より具体的には、最小となるような大きさ）に、電圧制御回路１４によって制御されるようになっている。図５（Ｂ）は、本構成のＭＯＳＦＥＴ２０に適用する第１種類のＭＯＳＦＥＴにおいて、−５５℃、２５℃、１７５℃の各温度における、ドレイン電流（ＩＤ）のゲート−ソース間電圧（ＶＧＳ）依存性のデータである。例えば、第１種類のＭＯＳＦＥＴにおいて、図５（Ｂ）に示すように、−５５℃、２５℃、１７５℃の各温度において、ゲート−ソース間電圧が３Ｖや４Ｖ等の所定の電圧値である場合に比べて、温度変化に対するドレイン電流の大きさの変化が小さくなるような大きさ（より具体的には、最小となるような大きさ）である３．８Ｖに決定する。そして、電圧制御回路１４は、駆動回路１２から出力されるオン信号の電圧値を３．８Ｖに制御してＭＯＳＦＥＴ２０にゲート電圧として印加する。
このような構成によって、駆動回路１２によってＭＯＳＦＥＴ２０に印加されるゲート電圧に対するドレイン電流の大きさが、温度変化によって変化することを抑制することができる。そのため、過電流状態をドレイン−ソース間電圧を用いて検出する場合に、温度の違いによって基準電圧を上回るタイミングが異なることを抑制することができ、過電流状態をより高精度に検出することが可能となる。
【００２６】
また、本第１実施形態では、駆動回路１２によってＭＯＳＦＥＴ２０に印加されるゲート電圧は、ＭＯＳＦＥＴ２０がドレイン−ソース間電圧の増大に対してドレイン電流が飽和する飽和領域で動作する時に、ドレイン−ソース間電圧が基準電圧を上回るような大きさとしている。例えば、図５（Ｃ）に示すように、第１種類のＭＯＳＦＥＴにおいて、ゲート−ソース間電圧が３．８Ｖに制御される場合、過電流検出回路１６で用いられる基準電圧が２Ｖ以上となるように設定する。
【００２７】
図４に示すように、時間ｔ２２からドレイン電流が増大していき、時間ｔ２３においてドレイン電流が飽和するようになり、ドレイン電流の僅かな増大に対してドレイン−ソース間電圧が急激に増大することになる。具体的には、図５（Ｃ）に示すように、第１種類のＭＯＳＦＥＴにおいて、ゲート−ソース間電圧が従来の制御回路に用いられる電圧値（図８に示す８Ｖ〜１２Ｖ）よりも低い３．８Ｖに制御される場合、ドレイン電流（ＩＤ）が６０Ａ程度で飽和することになり、それ以上ドレイン電流が増大することなく、ドレイン−ソース間電圧（ＶＤＳ）が急激に増大することになる。そのため、ＭＯＳＦＥＴ２０が飽和領域で動作する時に基準電圧を上回る構成では、過電流状態（例えば、負荷３０よりも高電位側でグランドショート等が生じてＭＯＳＦＥＴ２０のドレイン電流が増大する状態）となった場合に、ドレイン−ソース間電圧が急激に増大して基準電圧を上回ることになる。したがって、ドレイン電流が増大した場合に、過電流状態を迅速に検出することが可能になり、ドレイン−ソース間電圧が緩やかに増大する場合に比べて、ＭＯＳＦＥＴ２０におけるオン抵抗（ＲＤＳ（ＯＮ））の温度（Ｔｊ）依存性（図５（Ａ）参照）によるドレイン−ソース間電圧の大きさのばらつきに影響され難くなり、高精度に過電流状態を検出することができる。また、このようにドレイン−ソース間電圧の急激な増大によって過電流状態を迅速に検出する構成であるため、基準電圧を大きく設定し易く、ドレイン−ソース間電圧に基づく信号にノイズが生じることなどによって過電流状態が誤検出されることを抑制することができる。
【００２８】
このように、ＭＯＳＦＥＴ２０のオン動作時に、図４に示す時間ｔ２４においてドレイン−ソース間電圧が基準電圧（検出閾値）を超えた場合、過電流検出回路１６がドレイン電流の過電流状態を検出して駆動回路１２に対してＨレベルの信号（異常信号）を出力し、駆動回路１２はオフ信号をＭＯＳＦＥＴ２０に出力することになる。そして、ＭＯＳＦＥＴ２０がオフ動作することによって、例えばＭＯＳＦＥＴ２０がオフ動作からの検出遅延時間を経て、時間ｔ２５からドレイン電流が低減することになる。これによって、ＭＯＳＦＥＴ２０に過電流が流れることを抑制し、ＭＯＳＦＥＴ２０の保護を実現する。
【００２９】
また、従来の制御回路のように高いゲート電圧（図８に示すような８〜１２Ｖ程度の電圧）を使用する場合に比べて、低い電圧（３．８Ｖ）のゲート電圧を印加する構成であるため、異常状態において過電流状態が検出するまでにＭＯＳＦＥＴ２０に流れる電流の大きさを低減することができる。そのため、ＭＯＳＦＥＴ２０やその周辺部品が、これら部品に流れる高い電流値の電流によって発熱して破壊されることを防止することができる。
【００３０】
次に、第１実施形態の変形例に係る誘導性負荷駆動装置５について、図６を用いて説明する。
上記第１実施形態では、ＭＯＳＦＥＴ２０に図５のような特性を示す第１種類のＭＯＳＦＥＴを適用する例を示したが、それ以外の特性を示す種類のＭＯＳＦＥＴも適用可能である。例えば、ＭＯＳＦＥＴ２０に図６（Ａ）〜（Ｃ）に示す特性を示す第２種類のＭＯＳＦＥＴを適用する構成であってもよい。なお、第２種類のＭＯＳＦＥＴは、図６（Ａ）に示すように、オン抵抗（ＲＤＳ（ＯＮ））が温度（Ｔｊ）依存性を有している。
【００３１】
第２種類のＭＯＳＦＥＴを適用する場合、第１種類のＭＯＳＦＥＴを適用する場合と同様に、駆動回路１２によってＭＯＳＦＥＴ２０に印加されるゲート電圧が、その電圧値と異なる所定の電圧値のゲート電圧に比べて温度変化に対するドレイン電流の大きさの変化が小さくなるような大きさ（より具体的には、最小となるような大きさ）に、電圧制御回路１４によって制御する。すなわち、図６（Ｂ）に示すように、２５℃、１７５℃の各温度において、ゲート−ソース間電圧（ＶＧＳ）を、４Ｖや５Ｖ等の所定の電圧値である場合に比べて、温度変化に対するドレイン電流（ＩＤ）の大きさの変化が小さくなるような大きさ（より具体的には、最小となるような大きさ）である４．８Ｖに決定する。そして、電圧制御回路１４は、駆動回路１２から出力されるオン信号の電圧値を４．８Ｖに制御してＭＯＳＦＥＴ２０にゲート電圧として印加する。
【００３２】
また、駆動回路１２によってＭＯＳＦＥＴ２０に印加されるゲート電圧が、ＭＯＳＦＥＴ２０がドレイン−ソース間電圧の増大に対してドレイン電流が飽和する飽和領域で動作する時に、ドレイン−ソース間電圧が基準電圧を上回るような大きさとする。例えば、図６（Ｃ）に示すように、第２種類のＭＯＳＦＥＴにおいて、ゲート−ソース間電圧が４．８Ｖに制御される場合、過電流検出回路１６で用いられる基準電圧が２Ｖ以上となるように設定する。このような構成によって、ドレイン電流（ＩＤ）が４０Ａ程度で飽和することになり、ドレイン−ソース間電圧（ＶＤＳ）が急激に増大することになる。
このように第２種類のＭＯＳＦＥＴを適用する構成であっても、上記第１実施形態と同様の効果を奏することができる。
【００３３】
［他の実施形態]
本発明は上記記述及び図面によって説明した実施形態に限定されるものではなく、例えば次のような実施形態も本発明の技術的範囲に含まれる。
【００３４】
上記第１実施形態において、ＭＯＳＦＥＴ２０が負荷３０のハイサイド側に接続される構成を例示したが、ＭＯＳＦＥＴ２０が負荷３０のローサイド側に接続される構成を制御回路１０に適用してもよい。このような構成によって、ＭＯＳＦＥＴ２０に生じるドレイン電流が、負荷３０による逆起電力の影響を受けることなく過電流となる状態を検出してもよい。
【００３５】
また、上記第１実施形態において、ＭＯＳＦＥＴ２０と負荷３０の間でグランドショートが生じた場合を異常状態として過電流状態を判断する構成を例示したが、このような異常状態以外にも、ＭＯＳＦＥＴ２０において正常のオン動作時のドレイン電流よりも大きな電流が流れるその他の異常状態に適用する構成であってもよい。
【００３６】
また、上記第１実施形態において、制御回路１０の保護対象である本発明の「電界効果トランジスタ」がＭＯＳＦＥＴ２０である構成を例示したが、その他の「電界効果トランジスタ」を保護対象としてもよい。例えば、制御回路１０がＭＥＳＦＥＴ（Metal-Semiconductor field effect transistor）を保護対象とする構成としてもよい。すなわち、上記ＭＯＳＦＥＴ２０と同様に、ＭＥＳＦＥＴがドレイン−ソース間電圧の増大に対してドレイン電流が飽和する飽和領域で動作する時に、ドレイン−ソース間電圧が基準電圧を上回るような大きさとなる構成とすることで、ＭＥＳＦＥＴを保護対象とすることもできる。
【００３７】
また、上記第１実施形態において、ＭＯＳＦＥＴ２０がＮチャネル型のＭＯＳＦＥＴとして構成される例を示したが、ＭＯＳＦＥＴ２０はＰチャネル型のＭＯＳＦＥＴとして構成されてもよい。
【符号の説明】
【００３８】
５…誘導性負荷駆動装置
１０…制御回路（過電流保護回路）
１２…駆動回路（制御部）
１４…電圧制御回路
１６…過電流検出回路（検出部）
１６ａ，１６ｂ…コンパレータ
２０…ＭＯＳＦＥＴ（電界効果トランジスタ）
２２…抵抗
３０…負荷
４０…ダイオード
【図１】
2016201593.tif 000003
【図２】
2016201593.tif 000004
【図３】
2016201593.tif 000005
【図４】
2016201593.tif 000006
【図５】
2016201593.tif 000007
【図６】
2016201593.tif 000008
【図７】
2016201593.tif 000009
【図８】
2016201593.tif 000010